(57)【要約】【課題】プリントショップにおいて、あるリソースが高度に使用される一方であるリソースが遊び状態にあるという状態を改善する。【解決手段】印刷ジョブは、プリントショップに入力され、コンピュータ装置及び／又はスキャナ等の電子提出システム５５において集められ、提出システム又は別の場所において仕分けされバッチ処理された後、印刷エンジンに引き渡される。印刷された書類は、印刷エンジンを出て、例えば丁合機６０、裁断機６２、結束機６４等に送られる。仕上げ区域は、仕上げ作業のための自動又は手動区域を含み、これらは自動又は手動の挿入機７０を含む。最終的に、書類は郵送料計測ステーション７２、発送ステーション７４に移動する。印刷ジョブのための書類は、プリントショップ内の１つの場所から別の場所へ自動送達又は手動送達、例えば、手によるか或いは１つ又はそれ以上の紙カート８１−８５により移動させることができる。【選択図】図２
2009043255.tif 000002
【特許請求の範囲】
【請求項１】
プリントショップにおけるリソースの使用法を改善するコンピュータ実施の方法であって、
１つ又はそれ以上の第１型印刷ジョブの組を受け入れ、
作業フロー管理システムにより、（１）前記第１型印刷ジョブの処理に関する製品単価を前記第１型印刷ジョブに関連する経済データに基づいて判断し、（２）前記製品単価が、第２型印刷ジョブを追加すること、第１型印刷ジョブを取り除くこと、及び第１型印刷ジョブを変更することのうちの１つ又はそれ以上を実行することによって削減されるかどうかを判断し、
前記製品単価が、第２型印刷ジョブを追加すること、第１型印刷ジョブを取り除くこと、及び第１型印刷ジョブを変更することのうちの１つ又はそれ以上を実行することによって削減されると判断されるとき、前記１つ又はそれ以上の第１型印刷ジョブの組を変更し、
顧客の承認に応答して、１つ又はそれ以上のリソースを用いて前記１つ又はそれ以上の第１型印刷ジョブの変更された組を処理する、
ステップを含むことを特徴とする方法。
【請求項２】
前記製品単価が削減されるかどうかを前記判断するステップは、
前記第１型印刷ジョブの組を処理することによって処理される製品の総数を含む、前記第１型印刷ジョブの組に対する製品数を判断し、
前記製品単価が局部的に最小化される製品閾値を判断し、
前記製品数と前記製品閾値の間の差を判断する、
ステップを含むことを特徴とする請求項１に記載の方法。
【請求項３】
前記製品単価が前記第１型印刷ジョブの組を処理するときに実行される作業に対して削減されるかどうかを前記判断するステップは、
前記作業を実行することによって処理される製品の総数を含む、前記作業に対する作業製品数を判断し、
前記作業を実行するための製品単価が局部的に最小化される作業製品閾値を判断し、
前記作業製品数と前記作業製品閾値の間の差を判断する、
ステップを含むことを特徴とする請求項１に記載の方法。
【請求項４】
プリントショップにおけるリソースの使用法を改善するためのシステムであって、
少なくとも１つの第１型印刷ジョブを処理することができる、プリントショップ内の複数のリソースと、
前記複数のリソースと通信するプロセッサと、
前記プロセッサと通信するプロセッサ可読記憶媒体と、
を含み、
前記プロセッサ可読記憶媒体は、プリントショップ内のリソースの使用法を改善する方法を実行するための１つ又はそれ以上のプログラミング命令を含み、
前記方法は、
１つ又はそれ以上の第１型印刷ジョブの組を受け入れ、
前記第１型印刷ジョブの処理に関する製品単価を、前記第１型印刷ジョブに関連する経済データに基づいて判断し、
前記製品単価が、第２型印刷ジョブを追加すること、第１型印刷ジョブを取り除くこと、及び第１型印刷ジョブを変更することのうちの１つ又はそれ以上を実行することによって削減されるかどうかを判断し、
前記製品単価が、第２型印刷ジョブを追加すること、第１型印刷ジョブを取り除くこと、及び第１型印刷ジョブを変更することのうちの１つ又はそれ以上を実行することによって削減されると判断されるとき、前記１つ又はそれ以上の第１型印刷ジョブの組を変更し、
顧客の承認に応答して、前記１つ又はそれ以上の第１型印刷ジョブの変更された組を処理するように前記リソースに指示する、
ステップを含む
ことを特徴とするシステム。
【発明の詳細な説明】
【技術分野】
【０００１】
本発明は、一般に、プリントショップにおける印刷ジョブを処理する方法及びシステムに関する。より具体的には、本開示は、費用効果が高い方法で、プリントショップ内で利用可能なリソースを用いる多数の印刷ジョブを注文取りして処理することによって、印刷ジョブの処理効率を高める方法及びシステムに関する。
【背景技術】
【０００２】
プリントショップとは、典型的には、企業及び／又は個人から受け入れられた勘定書、納品伝票、明細書、書籍、雑誌等の書類を大量に製作する店舗、企業又は法人である。場合によっては、それぞれの書類（又は書類の組）に印刷されるデータは著しく異なる。例えば、第１書類のデータは、金融機関に関する第１クレジットカード利用者に関し、一方第２書類のデータは、その金融機関に関する第２クレジットカード利用者に関することがある。しかしながら、他の場合には、書籍印刷のように幾つかの同一書類が連続的に製作されて仕上げられることがある。
【０００３】
従来のプリントショップの作業フローが図１に示される。図１に示されるように、印刷ジョブに関する入力データが処理されて（１０５）、実行されるべき作業が判断される。データは、次に、例えば連続給紙プリンタを用いて印刷される１１０。連続給紙プリンタは、予め印刷された用紙を含む紙ロールを含むことができる。従って、紙は連続的にプリンタに供給されて高速印刷をもたらす。データは、複数の受取人に対応する用紙に印刷することができる。カット紙プリンタ等の他のプリンタも、プリントショップ内で用いることができる。
【０００４】
折り畳み作業１１５、挿入作業１２０及び仕分け作業１２５のうちの１つ又はそれ以上を、印刷ジョブ要件に基づいて実行することができる。折り畳み作業１１５については、それぞれの印刷された用紙を印刷ジョブ要件に従って折り畳むことができる。付随書類を印刷ジョブに挿入することができる１２０。例えば、銀行によって提供されるサービスに関する広告が銀行取引明細書の印刷ジョブに挿入される可能性がある。仕分け作業１２５を用いて、書類をそれぞれの受取人に対する個々の書類群に仕分けることができる。それぞれの書類群は、次に適切な受取人に郵送することができる１３０。
【０００５】
典型的には、ユーザは、処理する印刷ジョブを提出し、印刷ジョブを処理するための見積価格を支払うことに同意する。価格は、１シート当たりの定価又は１刷り当たりの定価といった定価設定モデルに基づく。特定の印刷ジョブに関する価格は、折り畳み、挿入、収縮包装等のような、実行すべき追加作業に基づいて調整することができる。
【０００６】
この方法に対する改善が提案されている。例えば、Ｅｓｃｈｂａｃｈ他による米国特許出願第１１／３４３，３３２号は、プリントショップをオンライン提供生成モジュール及び関連する価格設定モジュールに接続する方法及びシステムを説明する。説明された方法は、印刷ジョブを処理するための価格が注文プロセスの間に確定される動的価格設定モデルを含む。
【０００７】
更に、書類サービスのための自動価格交渉法が開発されてきた。例えば、Ｈｕｂｅｒｍａｎに付与された米国特許第５，８２６，２４４号は、顧客及び供給業者が書類サービスに関する指値及び付値を提示することを可能にする、書類サービスのための自動仲介オークション・システムを開示する。自動プロセスは、顧客及び供給業者の双方にとって満足できる価格を確定できるかどうかを判断する。価格を確定させることができる場合は、確定された価格における商取引が顧客及び供給業者に対して提案される。
【発明の開示】
【発明が解決しようとする課題】
【０００８】
上述の印刷ジョブ処理アルゴリズムは、プリントショップが受け入れる印刷ジョブに関する適切な価格設定及び価格交渉モデルを提供する。しかしながら、こうしたアルゴリズムは、プリントショップの効率を向上させるためのものではなく、又はそれを探求するものではない。従って、プリントショップは、他のリソースが高度に使用される一方で遊び状態にある多数のリソースを有する可能性がある。例えば、プリントショップが、収縮包装を必要とするが挿入は必要としない印刷ジョブを処理する場合は、プリントショップの挿入装置は遊び状態にある可能性がある。或いは、プリントショップが多数の書籍注文を処理するのみである場合には、連続給紙プリンタは遊び状態で、カット紙プリンタは高度に使用される可能性がある。
【課題を解決するための手段】
【０００９】
本方法を説明する前に、説明される特定のシステム、方法論又はプロトコルは様々に変化し得るので、本発明はそれらに限定されないことを理解されたい。また、本明細書で用いられる用語は、特定の実施形態を説明するためだけのものであり、添付の特許請求の範囲によってのみ限定される本開示の範囲を限定することを意図するものではないことを理解されたい。
本明細書で用いられる、「含む」という用語は「包含するが、限定はされない」ことを意味する。
【００１０】
一実施形態において、プリントショップにおける効率を高めるためのシステムは、作業フロー管理システムとプリントショップ内の複数のリソースとを含むことができる。作業フロー管理システムは、プリントショップで処理するための複数の第１型印刷ジョブを受け入れ、この複数の第１型印刷ジョブを処理するための製品単価を複数の第１型印刷ジョブに関連する経済データに基づいて判断し、そして、製品単価が、第２型印刷ジョブの追加、第１型印刷ジョブの取り除き、若しくは第１型印刷ジョブの変更のうちの１つ又はそれ以上を実行することによって削減することができるかどうかを判断するように構成することができる。複数のリソースは、第１型印刷ジョブを処理することができる。
【００１１】
一実施形態において、プリントショップにおける効率を高めるコンピュータ実施方法は、作業フロー管理システムにおいて、プリントショップで処理するための複数の第１型印刷ジョブを受け入れるステップと、作業フロー管理システムにより、その第１型印刷ジョブを処理するための製品単価を第１型印刷ジョブに関連する経済データに基づいて判断するステップと、製品単価が、第２型印刷ジョブの追加、第１型印刷ジョブの取り除き、及び第１型印刷ジョブの変更のうちの１つ又はそれ以上を実行することによって削減することができるかどうかを判断するステップと、第１型印刷ジョブを処理して１つ又はそれ以上の書類を製作するステップと、を含むことができる。
【発明を実施するための最良の形態】
【００１２】
本発明の態様、特徴、利益及び利点を、以下の説明及び添付の図面に基づいて明らかにする。
以下の考察のために、「プリントショップ」は、プリンタ、裁断機、丁合機、挿入機、収縮包装装置等の、書類を製作するための複数のリソースを含む店舗、企業又は法人を指す。プリントショップは、１つ又はそれ以上の印刷関連装置を含む独立した企業実体、或いは、会社又は他の企業実体の一部とすることができる。更に、プリントショップは、ローカル・エリア・ネットワーク（ＬＡＮ）、又は、インターネット、ワールド・ワイド・ウェブ等の広域ネットワーク（ＷＡＮ）を介して、１つ又はそれ以上のサーバと通信することができる。
【００１３】
「装置」という用語は、作業を実行するために用いられる機械を指す。プリントショップ内の例示的な装置は、プリンタ、裁断機、丁合機、挿入機、収縮包装装置等を含む。
「リソース」は、機能を実行するプリントショップの要素を指す。リソースは、装置又は人的労働力とすることができる。例えば、プリントショップにおいては、印刷された書類等の中間作業製品を、ジョブの一部として装置の間を運ぶために人間作業者を必要とする場合がある。
【００１４】
「ジョブ」は、顧客のために完了されるべき作業の論理単位を指す。例えば、ジョブは、１つ又はそれ以上の命令、及び処理されると出力を生じる１つ又はそれ以上のパラメータを含むことができる。プリントショップにおいては、ジョブは１人又はそれ以上の顧客からの１つ又はそれ以上の印刷ジョブを含むことができる。製作システムは、複数のジョブを処理することができる。
【００１５】
「印刷ジョブ」は、プリントショップにおいて処理されるジョブを指す。例えば、印刷ジョブは、１つ又はそれ以上の命令、及び処理されると印刷書類、例えば特定のクレジットカード会社に対応するクレジットカード明細書、特定の銀行に対応する銀行口座取引明細書、書籍、雑誌等を生じる、１つ又はそれ以上のパラメータを含むことができる。
【００１６】
「経済データ」は、印刷ジョブを処理するときに、製品を製作する及び／又は作業を実行する費用に関する情報を指す。経済データは、印刷ジョブを処理するのに用いられる１つ又はそれ以上のリソースの運転費用、材料の費用、人件費等に基づくものとすることができる。
【００１７】
図２は、プリントショップに実施例５０を示す。印刷ジョブは、手動で又は電子的にプリントショップに入力することができ、そして、コンピュータ装置及び／又はスキャナ等の電子提出システム５５において集めることができる。印刷ジョブは、提出システム又は別の場所、例えば作業フロー管理システム等において仕分けされバッチ処理された後、１つ又はそれ以上の印刷エンジン、例えば、カラープリンタ５６、モノクロプリンタ５７及び／又は連続給紙プリンタ５８等に引き渡される。印刷された書類は、印刷エンジンを出て、１つ又はそれ以上の仕上げ装置又は区域、例えば丁合機６０、裁断機６２及び／又は結束機６４等に送られることができる。仕上げ区域は、こうした仕上げ作業のための自動又は手動区域を含むことができ、これらはまた、自動又は手動の挿入機７０を含むことができる。最終的に、書類は、郵送料計測ステーション７２及び／又は発送ステーション７４に移動することができる。印刷ジョブのための書類は、プリントショップ内の１つの場所から別の場所へ自動送達又は手動送達、例えば、手によるか或いは１つ又はそれ以上の紙カート８１−８５により移動させることができる。
【００１８】
プリントショップ５０の種々の要素は、特定の印刷ジョブを処理するように装置を準備するために設定時間を必要とする可能性がある。例えば、幾つかの印刷ジョブは、予め印刷された用紙、例えば、銀行のロゴ及び連絡先が予め印刷された銀行取引明細書、又は、支払い請求紛争手続が予め印刷されたクレジットカード明細書等を用いる。用紙はまた、宣伝用材料又は申し込みカード等の挿入物を含むことができる。プリントショップ内の装置が、同一用紙を使う２つの連続した印刷ジョブを受け取る場合、２つの印刷ジョブの間で変更は殆ど又は全く必要ない。しかしながら、用紙が異なる場合は、印刷ジョブは異なる設定特性を有し、新しい用紙を装置に装着するのにかなりの設定時間を要する可能性がある。これは、特に連続給紙プリンタ５８において顕著であり、新しい用紙ロールを装着するのに１５分又はそれ以上の時間を要する可能性がある。
【００１９】
図３は、一実施形態による、プリントショップの効率を高める例示的な方法のフロー図を示す。プリントショップの効率は、プリントショップの顧客から、１つ又はそれ以上の印刷ジョブ型を有する１つ又はそれ以上の印刷ジョブの注文を取ることによって向上させることができる。例えば、印刷ショップ内のリソースの利用率を高める印刷ジョブ型を有する印刷ジョブの注文を取ることによって、プリントショップはその効率を高めることができる。
【００２０】
一実施形態において、少なくとも１つの印刷ジョブを実行するために、１つ又はそれ以上のリソースを最初に選定することができる３０２。プリントショップは、処理するための一組の印刷ジョブを受け入れることができる３０５。印刷ジョブは、例えば作業フロー管理システムにおいて受け入れることができる３０５。作業フロー管理システムは、一組の印刷ジョブをプリントショップ内で処理する方法を判断するシステムである。作業フロー管理システムは、プロセッサと、実行されるときそれぞれの印刷ジョブを処理するために使用されるリソース及びそれぞれの印刷ジョブを処理するのにリソースが使用される順序を判断する、プログラミング命令を含むプロセッサ可読記憶媒体とを含む。次に作業フロー管理システムは、判断された順序に従って、印刷ジョブを処理するようにプリントショップ内のリソースに指示を与える。それぞれの印刷ジョブは、実行されるべき対応する一組の作業を有することができる。一実施形態において、印刷ジョブは、閾値を超える全印刷量を有する第１型の印刷ジョブが受け入れられるまで、待ち行列内に保持することができる。
【００２１】
作業フロー管理システムは、印刷ジョブに関連する経済データに基づいて、複数の印刷ジョブを処理するための製品単価を判断することができる３１０。一実施形態において、経済データは、印刷ジョブを処理するときに製品を製作する費用、例えば１つの名刺、書籍、雑誌、クレジットカード明細書等を製作する費用に関するデータを含む。代替の実施形態においては、経済データは、印刷ジョブを処理するときに１つ又はそれ以上の作業を実行する費用、例えば１つの名刺を印刷する費用、１つの裁断作業を実行する費用、印刷ジョブに関する製品を収縮包装する費用等に関するデータを含む。
【００２２】
一実施形態において、経済データは、作業フロー管理システムを用いて、受け入れた印刷ジョブの処理のシミュレーションに基づいて生成することができる。例えば、印刷ジョブの処理は、処理を実行する順序を判断するために、複数回シミュレートすることができる。経済データは、これらのシミュレーションから、それぞれの印刷ジョブを処理するのに必要な作業を実行する全費用を判断することによって生成することができる。製品単価は、処理される印刷ジョブ全てにわたって、製作される製品数で全費用を割ることによって判断することができる３１０。
【００２３】
それぞれの印刷ジョブは、関連する印刷ジョブ型を有することができる。例えば、印刷ジョブ型は、紙表紙の本、名刺、雑誌等を含むことができる。一実施形態において、印刷ジョブ型は、より粗いレベルで判断することができる。例えば、印刷ジョブ型を印刷ジョブを処理するのに実行される作業の順序に基づくものとすることができる。
【００２４】
次に、製品単価が、１つ又はそれ以上の印刷ジョブを追加するか、取り除くか又は変更することによって削減されるかどうか判断を行うことができる３１５。印刷ジョブが追加される場合は、追加の印刷ジョブは、製品単価を削減するのに効果的な印刷ジョブ型を有することができる。一実施形態において、少なくとも１つの追加の印刷ジョブの印刷ジョブ型は、受け入れられた３０５複数の印刷ジョブの印刷ジョブ型と同じものとすることができる。代替の実施形態においては、少なくとも１つの追加の印刷ジョブの印刷ジョブ型は、複数の印刷ジョブの印刷ジョブ型とは異なってもよい。
【００２５】
一実施形態において、製品単価が削減されるかどうかについての判断は、複数の印刷ジョブを処理することによって製作される製品の総数に等しい、複数の印刷ジョブの製品数を判断することによって行うことができる３１５。次に、製品単価が局部的に最小化される閾値の製品数を判断することができる。次に、製品数は閾値の製品数と比較することができる。製品数が閾値の製品数より少ない場合は、製品単価は、全製品数を閾値の製品数に近づくように増加させる１つ又はそれ以上の追加の印刷ジョブを処理することによって削減することができる。例えば、複数の印刷ジョブの製品数が４０００個であり、製品単価の削減が５０００個で実現される場合（即ち、閾値の製品数）、追加の印刷ジョブを受け入れて処理することによって、製品単価を削減することができる。具体的には、１０００個の製品を製作する１つ又はそれ以上の追加の印刷ジョブは、製品単価を局部的最小製品単価まで削減することができる。代替的に、複数の印刷ジョブの製品数が６０００であり、製品単価の削減が５０００個で実現される場合は、１つ又はそれ以上の印刷ジョブを減らされた製品数で処理することを要請することによって、製品単価を削減することができる。
【００２６】
代替の実施形態において、製品単価が削減されるかどうかについての判断は、複数の印刷ジョブを処理するときに実行される作業に関する作業製品数を判断し、作業を実行するための製品単価が局部的に最小化される作業製品閾値を判断し、作業製品数が作業製品閾値よりも少ないかどうかを判断することによって行うことができる３１５。作業製品数は、作業を実行することによって製作された製品の総数である。例えば、考慮中の印刷ジョブに関して２００枚のシートが印刷される場合は、印刷作業の作業製品数は２００個である。作業製品閾値は、作業を実行するための局部的最小製品単価で製作される製品数を表わすことができる。例えば、裁断機が１つの裁断作業から５００個までの製品を製作することができ、裁断作業には裁断されるシートの枚数に関わらず同じ費用がかかる場合は、裁断作業に関する局部的最小製品単価は、製作される５００個の製品ごとに発生する。従って、潜在的な作業製品閾値は、５００個製品の倍数とすることができる。
【００２７】
再び図３を参照すると、製品単価が１つ又はそれ以上の印刷ジョブを追加するか取り除くか又は変更することによって削減されない場合は、複数の印刷ジョブを処理することができる３３０。その他の場合は、印刷ジョブを追加するか取り除くか又は変更する提案を伝達することができる３２０。提案は、１人又はそれ以上の顧客に直接に、又は販売広告を介して間接的に伝達することができる３２０。例えば、提案を伝達するステップ３２０は、提案をウェブサイト上に掲示するステップを含むことができる。一実施形態においては、提案を伝達するステップ３２０は、記憶媒体にアクセスして、適切な印刷ジョブ型を有する印刷ジョブを以前に依頼した顧客を判断し、該顧客に提案を行うステップを含むことができる。
代替の実施形態においては、提案を伝達するステップ３２０は、提案を顧客に自動的に伝送するステップを含むことができる。例えば、提案は、電子メール、テキスト・メッセージ、電話通話、ファックス・メッセージ、及び／又は、任意の他の音声、映像又は電子的な伝送法により伝送することができる。
【００２８】
伝達された提案において注文を受けた印刷ジョブの印刷ジョブ型が、複数の印刷ジョブの印刷ジョブ型と実質的に類似する一実施形態において、提案を伝達するステップ３２０は、複数の印刷ジョブのうち少なくとも１つを与えた顧客の顧客アカウントにアクセスして、顧客によって与えられた印刷ジョブの印刷量（即ち、製作されるシート枚数）を自動的に増加又は減少するステップを含むことができる。印刷ジョブをプリントショップに与えるとき、顧客は、印刷ジョブの追加の製品をある製品単価で製作することが可能であるという指示を含めることができる。例えば、顧客は、標準的な製品単価で、印刷ジョブに対して５０００個の製品を承諾することができるが、製品単価が削減される場合には、印刷ジョブに対して１００００個の製品を承諾することになる。追加の製品に対する顧客の要望を指示する他の方法は当業者には明らかであろう。作業フロー管理システムは、印刷ジョブの印刷量が増加又は減少されたことを、電子メール、テキスト・メッセージ、電話等のメッセージ伝達法を介して顧客と通信することによって顧客に通知することができる。一実施形態において、メッセージ伝達法は、顧客又はプリントショップのどちらかによって指定することができる。
【００２９】
再び図３を参照すると、提案に対する応答は作業フロー管理システムによって受け取ることができる３２５。応答が提案を拒否する場合は、作業フロー管理システムは、替りの提案が製品単価を削減することができるかどうかを判断することができる３１５。そうである場合は、替りの提案を伝達することができる３２０。応答が、印刷ジョブを追加する提案を承諾する場合は、印刷ジョブを受け入れることができる。応答が、印刷ジョブを取り除く提案を承諾する場合は、印刷ジョブを処理から取り除くことができる。応答が、印刷ジョブを変更する提案を承諾する場合は、印刷ジョブは提案に従って変更することができる。プリントショップは、次に、提案の結果として受け入れられた追加の印刷ジョブを含む複数の印刷ジョブを処理することができる３３０。
【００３０】
図４は、一実施形態によるプリントショップの効率を高めるための例示的なシステムのブロック図を示す。図４に示されるように、システムは、作業フロー管理システム４５０、通信モジュール４１０及び複数のリソース４１５を含むことができる。
【００３１】
一実施形態において、作業フロー管理システム４５０は、プロセッサ４２０と、実行されるとき上述の機能など様々な機能を実行するプログラミング命令を含むプロセッサ可読記憶媒体４２５とを含み、コンピュータにより実現される。例えば、作業フロー管理システム４５０を用いて、印刷ジョブを受け入れ、その印刷ジョブの処理に関する製品単価を複数の印刷ジョブに関連する経済データに基づいて判断し、追加の印刷ジョブが該印刷ジョブの処理に関する製品単価を削減することができるかどうかを判断することができる。作業フロー管理システム４５０は、追加の印刷ジョブを処理する提案に対する応答を更に受け取り、追加の印刷ジョブを受け入れ、複数のリソースに受け入れた印刷ジョブを処理するように指示を与えることができる。
【００３２】
通信モジュール４１０を用いて追加の印刷ジョブを処理する提案を伝達することができる。通信モジュール４１０は、情報をウェブサイト上で掲示し、電子メール、電話、テキスト・メッセージ、ファックス等を介して顧客又は第三者に直接連絡を取り、及び／又は印刷ジョブのデータベースにアクセスすることにより、印刷ジョブを提出した顧客によって与えられた指示に基づいて印刷ジョブの印刷量を処理して増加することができる。
【００３３】
複数のリソース４１５を用いて複数の印刷ジョブを処理することができる。複数のリソース４１５は、プリンタ、丁合機、裁断機、結束機、挿入機、収縮包装装置、郵送料計測器等を含むことができる。一実施形態において、１つ又はそれ以上のリソース４１５は、多数の機能を実行することができる。複数のリソース４１５は、例えば、作業フロー管理システムによって実行するように指示されたときに、複数の印刷ジョブを処理することができる。
【００３４】
上で開示された及び他の様々な特徴及び機能、又はそれらの代替物は、所望により組み合せて他の多くの異なるシステム又は用途にすることができることを認識されたい。また、現在は予見できない又は予期できない様々な代替、変更、変形又はその改善は、後で当業者によって施すことが可能であり、これらもまた、開示された実施形態によって包含されることが意図されていることを認識されたい。
【図面の簡単な説明】
【００３５】
【図１】従来のプリントショップの作業フローを示す。
【図２】一実施形態によるプリントショップの例示的な要素を示す。
【図３】一実施形態によるプリントショップの効率を高める例示的な方法のフロー図を示す。
【図４】一実施形態によるプリントショップの効率を高めるための例示的なシステムのブロック図を示す。
【符号の説明】
【００３６】
５０：プリントショップ
５５：入力ワークステーション
５６：カラープリンタ
５７：モノクロプリンタ
５８：連続給紙プリンタ
６０：丁合機
６２：裁断機
６４：結束機
７０：手動挿入機
７２：郵送料計測器
７４：発送ステーション
８１−８５：紙カート
４１０：通信モジュール
４１５：リソース
４２０：プロセッサ
４２５：プロセッサ可読記憶媒体
４５０：作業フロー管理システム
【図１】
2009043255.tif 000003
【図２】
2009043255.tif 000004
【図３】
2009043255.tif 000005
【図４】
2009043255.tif 000006